(57)【要約】 【課題】  簡易な構成で、取得された画像データファイルを画像データファイルの種類等により、フォルダを振り分けて記録することができるダイレクトコピーシステム等を提供することを目的とする。【解決手段】  第１の記録再生装置が、表示されたデータファイルの中から第２の記録再生装置にコピー転送するデータファイルを選択し、コピー転送の実行時に、第２の記録再生装置に対して、コピー要求とファイル情報およびコピー先のフォルダを指定する場合に、コピー先フォルダを指定する情報を送信するとともに、第２の記録再生装置が、コピー先フォルダの指定情報を受信したときは、指定されたフォルダにデータファイルのコピーを実行し、コピー先フォルダの指定情報を受信しないときは、新たなフォルダにコピー転送されたデータファイルのコピーを実行する。【選択図】  図１２          
2005166220.tif 000002
【特許請求の範囲】
【請求項１】
第１の記録再生装置から第２の記録再生装置に直接、データファイルをコピー転送するダイレクトコピーシステムであって、
前記第１の記録再生装置が、記録されたデータファイルを表示する表示手段と、
該表示されたデータファイルの中から前記第２の記録再生装置にコピー転送するデータファイルを選択する操作手段と、
コピー転送の実行時に、前記第２の記録再生装置に対して、コピー転送するデータファイルのコピー要求と該データファイルのファイル情報およびコピー先のフォルダを指定する場合に、コピー先フォルダを指定する情報を送信する送信手段とを有し、
前記第２の記録再生装置が、前記第１の記録再生装置から前記コピー要求とデータファイルのファイル情報およびコピー先フォルダの指定情報を受信する受信手段と、
新たなフォルダを作成するフォルダ作成手段と、
前記転送されたデータファイルのコピー動作を制御する制御手段と、
を有し、
前記受信手段がコピー先フォルダの指定情報を受信したときは、前記制御手段が該指定されたフォルダにコピー転送されたデータファイルのコピーを実行し、前記コピー先フォルダの指定情報を受信しないときは、前記フォルダ作成手段が作成した新たなフォルダにコピー転送されたデータファイルのコピーを実行することを特徴とするダイレクトコピーシステム。
【請求項２】
第１の記録再生装置から第２の記録再生装置に直接、データファイルをコピー転送するダイレクトコピーシステムであって、
前記第１の記録再生装置が、記録されたデータファイルを表示する表示手段と、
該表示されたデータファイルの中から前記第２の記録再生装置にコピー転送するデータファイルを選択する操作手段と、
コピー転送の実行時に、前記第２の記録再生装置に対して、コピー転送するデータファイルのコピー要求と該データファイルのファイル情報およびコピー先のフォルダを指定する場合に、コピー先フォルダを指定する情報を送信する送信手段とを有し、
前記第２の記録再生装置が、デフォルトフォルダを決定するデフォルトフォルダ決定手段と、
前記第１の記録再生装置から前記コピー要求とデータファイルのファイル情報およびコピー先フォルダの指定情報を受信する受信手段と、
受信情報にコピー先フォルダの指定情報があるか否かを判別する判別手段と、
前記転送されたデータファイルのコピー動作を制御する制御手段と、
を有し、
前記判別手段が前記第１の記録再生装置から、コピー先フォルダの指定情報を受信したと判断したときは、前記制御手段が該指定されたフォルダにコピー転送されたデータファイルのコピーを実行し、前記コピー先フォルダの指定情報を受信していないと判断したときは、前記制御手段が前記デフォルトフォルダ手段の決定したデフォルトフォルダにコピー転送されたデータファイルのコピーを実行することを特徴とするダイレクトコピーシステム。
【請求項３】
記録されたデータファイルを他の装置にコピー転送するデータファイル転送装置であって、
記録されたデータファイルを表示する表示手段と、
該表示されたデータファイルの中から前記他の記録再生装置にコピー転送するデータファイルを選択する操作手段と、
コピー転送の実行時に、前記他の記録再生装置に対して、コピー転送するデータファイルのコピー要求と該データファイルのファイル情報およびコピー先のフォルダを指定する場合に、コピー先フォルダを指定する情報を送信する送信手段と、
を有することを特徴とするデータファイル転送装置。
【請求項４】
前記コピー先の他の装置に転送するデータファイルをコピーするデフォルトフォルダを指示するデフォルトフォルダ指示手段を有し、
前記データファイルのコピー転送時に、コピーするフォルダを指定しない場合に、該デフォルトフォルダへのコピーを指示することを特徴とする請求項３に記載されたデータファイル転送装置。
【請求項５】
前記データファイルをコピー転送するときに、該データファイルをコピーする新たなフォルダを指定する場合には、前記コピー先の他の装置に新たなフォルダの作成を指示するフォルダ作成指示手段を有することを特徴とする請求項３に記載されたデータファイル転送装置。
【請求項６】
他の装置からコピー転送されたデータファイルを受信して、コピー記録を行うデータファイル記録装置であって、
前記他の装置からコピー要求とデータファイルのファイル情報およびコピー先フォルダの指定情報を受信する受信手段と、
新たなフォルダを作成するフォルダ作成手段と、
前記転送されたデータファイルのコピー動作を制御する制御手段と、
を有し、
前記受信手段がコピー先フォルダの指定情報を受信したときは、前記制御手段が該指定されたフォルダにコピー転送されたデータファイルのコピーを実行し、前記コピー先フォルダの指定情報を受信しないときは、前記フォルダ作成手段が作成した新たなフォルダにコピー転送されたデータファイルのコピーを実行することを特徴とするデータファイル記録装置。
【請求項７】
前記他の装置から転送されるデータファイルをコピーするデフォルトフォルダを指示する情報を受信するデフォルトフォルダ情報受信手段を有し、前記他の装置からデータファイルのコピー要求があったときに、該データファイルをコピーするフォルダが指定されていない場合には、前記受信したデフォルトフォルダにデータファイルのコピーを実行することを特徴とする請求項６に記載されたデータファイル記録装置。
【請求項８】
前記他の装置からのフォルダ作成指示情報により、新たなフォルダを作成するフォルダ作成手段を有し、
前記他の装置からデータファイルのコピー要求があったときに、該データファイルをコピーするフォルダが指定されていない場合には、該フォルダ作成手段により作成された新たなフォルダに前記データファイルのコピーを実行することを特徴とする請求項６に記載されたデータファイル記録装置。
【請求項９】
第１の記録再生装置から第２の記録再生装置に直接、データファイルをコピー転送するデータファイルのダイレクトコピー方法であって、
前記第１の記録再生装置において、表示されたデータファイルから前記第２の記録再生装置にコピー転送するデータファイルを選択するステップと、
該データファイルのファイル情報およびコピー先のフォルダを指定するステップと、
前記第２の記録再生装置に対して、前記データファイルのコピー要求と該ファイル情報およびコピー先のフォルダ情報を送信するステップと、
前記第２の記録再生装置において、前記第１の記録再生装置から該コピー要求とデータファイルのファイル情報およびコピー先フォルダの指定情報を受信するステップと、
該コピー先フォルダの指定情報を受信したときに、該指定されたフォルダにコピー転送されたデータファイルのコピーを実行するステップと、
前記コピー先フォルダの指定情報を受信しないときに、新たなフォルダを作成し、該作成した新たなフォルダにコピー転送されたデータファイルのコピーを実行するステップとを、
有することを特徴とするデータファイルのダイレクトコピー方法。
【請求項１０】
第１の記録再生装置から第２の記録再生装置に直接、データファイルをコピー転送するデータファイルのダイレクトコピー方法であって、
前記第１の記録再生装置において、表示されたデータファイルから前記第２の記録再生装置にコピー転送するデータファイルを選択するステップと、
該データファイルのファイル情報およびコピー先のフォルダを指定するステップと、
前記第２の記録再生装置に対して、前記データファイルのコピー要求と該ファイル情報およびコピー先のフォルダ情報を送信するステップと、
前記第２の記録再生装置において、デフォルトフォルダを決定するステップと、
前記第１の記録再生装置から該コピー要求とデータファイルのファイル情報およびコピー先フォルダの指定情報を受信するステップと、
該コピー先フォルダの指定情報を受信したときに、該指定されたフォルダにコピー転送されたデータファイルのコピーを実行するステップと、
前記コピー先フォルダの指定情報を受信しないときに、該決定したデフォルトフォルダにコピー転送されたデータファイルのコピーを実行するステップとを、
有することを特徴とするデータファイルのダイレクトコピー方法。
【請求項１１】
記録されたデータファイルを他の装置にコピー転送するデータファイルのコピー転送方法であって、
表示されたデータファイルから前記他の記録再生装置にコピー転送するデータファイルを選択するステップと、
該データファイルのファイル情報およびコピー先のフォルダを指定するステップと、
前記他の記録再生装置に対して、前記データファイルのコピー要求と該ファイル情報およびコピー先のフォルダ情報を送信するステップと、
を有することを特徴とするデータファイルのコピー転送方法。
【請求項１２】
前記コピー先の他の装置に転送するデータファイルをコピーするデフォルトフォルダを指示するステップを有し、前記データファイルをコピー転送するときに、コピーするフォルダを指定しない場合に、該デフォルトフォルダにコピーを指示することを特徴とする請求項１１に記載されたデータファイルのコピー転送方法。
【請求項１３】
前記データファイルをコピー転送するときに、該データファイルをコピーする新たなフォルダを指定する場合には、前記コピー先の他の装置に新たなフォルダの作成を指示するステップをさらに有することを特徴とする請求項１１に記載されたデータファイルのコピー転送方法。
【請求項１４】
他の装置からコピー転送されたデータファイルを受信して、コピー記録を行うデータファイルの記録方法であって、
前記他の記録再生装置からコピー要求とデータファイルのファイル情報およびコピー先フォルダの指定情報を受信するステップと、
該コピー先フォルダの指定情報を受信したときに、該指定されたフォルダにコピー転送されたデータファイルのコピーを実行するステップと、
前記コピー先フォルダの指定情報を受信しないときに、新たなフォルダを作成し、該作成した新たなフォルダにコピー転送されたデータファイルのコピーを実行するステップとを、
有することを特徴とするデータファイルの記録方法。
【請求項１５】
前記他の装置から転送されるデータファイルをコピーするデフォルトフォルダを指示する情報を受信するステップを有し、
前記他の装置からデータファイルのコピー要求があったときに、該データファイルをコピーするフォルダが指定されていない場合には、該指示されたデフォルトフォルダにコピーを実行することを特徴とする請求項１４に記載されたデータファイルの記録方法。
【請求項１６】
前記他の装置からのフォルダ作成指示情報により、新たなフォルダを作成するフォルダ作成手段を有し、
前記他の装置からデータファイルのコピー要求があったときに、該データファイルをコピーするフォルダが指定されていない場合には、新たなフォルダを作成し、該フォルダに前記データファイルのコピーを実行するステップをさらに備えたことを特徴とする請求項１４に記載されたデータファイルの記録方法。
【発明の詳細な説明】
【技術分野】
【０００１】
本発明は、取得したデータをダイレクトに他の記録再生装置に転送するダイレクトコピーシステム、データファイル転送装置、データファイル記録装置およびデータファイルのダイレクトコピー方法、データファイルのコピー転送方法、データファイルの記録方法に関する。
【背景技術】
【０００２】
近年のパーソナルコンピュータの目ざましい普及やその機能の多様性に伴って、撮影した画像データファイルを簡単に編集することができるデジタルカメラが注目を浴びている。
デジタルカメラで撮影された画像は、デジタルカメラ内に挿入されるコンパクトフラッシュ（登録商標）やスマートメディア（登録商標）等の記憶装置に一時的に格納されたのち、パーソナルコンピュータに記憶され、各種の画像編集が行われる。
【０００３】
一方、最近では、撮影した画像データファイルをパーソナルコンピュータを介してストレージに保存するために、例えば、ＭＯ（光磁気ディスク）等の記録再生装置の論理フォーマットが分からなくても、画像データファイルのコピーを手軽にできるＰＴＰ（ＰＴＰ：Picture Transfer Protocol）対応のデジタルカメラが登場し、Windows XP（登録商標）においてサポートされるようになってきた。
【０００４】
ところが、従来のデジタルカメラにおいては、コンパクトフラッシュ（登録商標）やスマートメディア（登録商標）等のメモリカードに作成されるフォルダ構造がメーカにより異なることから、ＭＯ（光磁気ディスク）等の記録再生装置に画像データファイルをコピーする際に、フォルダ構造を変更してしまうと、記録再生装置やメモリカードから画像データファイルを書き戻したとしても、その画像データを元のデジタルカメラで再生できないという問題があった。
【０００５】
そこで、こうした問題に対応して、画像データファイルを保存する時に、ＤＣＦ規格に準拠したフォルダを作成して、このフォルダに画像データファイルをコピーする技術が開示されている（例えば、特許文献１参照。）。
【特許文献１】特開２００３−１１４８２０号公報
【発明の開示】
【発明が解決しようとする課題】
【０００６】
しかしながら、特許文献１に開示された発明は、メモリカード内の画像データファイルがＤＣＦ規格に準拠して作成された特定のフォルダに一括してコピーされるため、例えば、画像データファイルの種類ごとにフォルダを振り分けることができないという問題があった。
【０００７】
そこで、本発明は、上述の課題に鑑みてなされたものであり、簡易な構成で、取得された画像データファイルを例えば、画像データファイルの種類等により、フォルダを振り分けて記録することができるダイレクトコピーシステム、データファイル転送装置、データファイル記録装置およびデータファイルのダイレクトコピー方法、データファイルのコピー転送方法、データファイルの記録方法を提供することを目的とする。
【課題を解決するための手段】
【０００８】
請求項１に係る発明は、第１の記録再生装置から第２の記録再生装置に直接、データファイルをコピー転送するダイレクトコピーシステムであって、前記第１の記録再生装置が、記録されたデータファイルを表示する表示手段と、該表示されたデータファイルの中から前記第２の記録再生装置にコピー転送するデータファイルを選択する操作手段と、コピー転送の実行時に、前記第２の記録再生装置に対して、コピー転送するデータファイルのコピー要求と該データファイルのファイル情報およびコピー先のフォルダを指定する場合に、コピー先フォルダを指定する情報を送信する送信手段とを有し、前記第２の記録再生装置が、前記第１の記録再生装置から前記コピー要求とデータファイルのファイル情報およびコピー先フォルダの指定情報を受信する受信手段と、新たなフォルダを作成するフォルダ作成手段と、前記転送されたデータファイルのコピー動作を制御する制御手段とを有し、前記受信手段がコピー先フォルダの指定情報を受信したときは、前記制御手段が該指定されたフォルダにコピー転送されたデータファイルのコピーを実行し、前記コピー先フォルダの指定情報を受信しないときは、前記フォルダ作成手段が作成した新たなフォルダにコピー転送されたデータファイルのコピーを実行することを特徴とするダイレクトコピーシステムを提案している。
【０００９】
請求項９に記載された発明は、第１の記録再生装置から第２の記録再生装置に直接、データファイルをコピー転送するデータファイルのダイレクトコピー方法であって、前記第１の記録再生装置において、表示されたデータファイルから前記第２の記録再生装置にコピー転送するデータファイルを選択するステップと、該データファイルのファイル情報およびコピー先のフォルダを指定するステップと、前記第２の記録再生装置に対して、前記データファイルのコピー要求と該ファイル情報およびコピー先のフォルダ情報を送信するステップと、前記第２の記録再生装置において、前記第１の記録再生装置から該コピー要求とデータファイルのファイル情報およびコピー先フォルダの指定情報を受信するステップと、該コピー先フォルダの指定情報を受信したときに、該指定されたフォルダにコピー転送されたデータファイルのコピーを実行するステップと、前記コピー先フォルダの指定情報を受信しないときに、新たなフォルダを作成し、該作成した新たなフォルダにコピー転送されたデータファイルのコピーを実行するステップとを有することを特徴とするデータファイルのダイレクトコピー方法を提案している。
【００１０】
これらの発明によれば、第１の記録再生装置における表示手段および操作手段の作動により、表示手段に表示されたデータファイルの中から第２の記録再生装置にコピー転送するデータファイルが選択される。また、送信手段の作動により、コピー転送の実行時に、第２の記録再生装置に対して、選択したコピー転送を行うデータファイルのコピー要求とコピー転送するデータファイルのファイル情報および第２の記録再生装置におけるコピー先のフォルダを指定する場合に、コピー先フォルダを指定する情報が送信される。
一方、第２の記録再生装置においては、受信手段の作動により、第１の記録再生装置からコピー要求とデータファイルのファイル情報およびコピー先フォルダの指定情報を受信し、第１の記録再生装置から、コピー先フォルダの指定情報を受信したときは、制御手段の作動により、指定されたフォルダにコピー転送されたデータファイルのコピーを実行する。また、コピー先フォルダの指定情報を受信しないときは、フォルダ作成手段の作動により作成された新たなフォルダにコピー転送されたデータファイルのコピーを実行する。
なお、扱うデータは、特に限定されるものではなく、例えば、画像データであっても、テキストデータであっても、音声データであってもよい。
【００１１】
請求項２に係る発明は、第１の記録再生装置から第２の記録再生装置に直接、データファイルをコピー転送するダイレクトコピーシステムであって、前記第１の記録再生装置が、記録されたデータファイルを表示する表示手段と、該表示されたデータファイルの中から前記第２の記録再生装置にコピー転送するデータファイルを選択する操作手段と、コピー転送の実行時に、前記第２の記録再生装置に対して、コピー転送するデータファイルのコピー要求と該データファイルのファイル情報およびコピー先のフォルダを指定する場合に、コピー先フォルダを指定する情報を送信する送信手段とを有し、前記第２の記録再生装置が、デフォルトフォルダを決定するデフォルトフォルダ決定手段と、前記第１の記録再生装置から前記コピー要求とデータファイルのファイル情報およびコピー先フォルダの指定情報を受信する受信手段と、受信情報にコピー先フォルダの指定情報があるか否かを判別する判別手段と、前記転送されたデータファイルのコピー動作を制御する制御手段とを有し、前記判別手段が前記第１の記録再生装置から、コピー先フォルダの指定情報を受信したと判断したときは、前記制御手段が該指定されたフォルダにコピー転送されたデータファイルのコピーを実行し、前記コピー先フォルダの指定情報を受信していないと判断したときは、前記制御手段が前記デフォルトフォルダ手段の決定したデフォルトフォルダにコピー転送されたデータファイルのコピーを実行することを特徴とするダイレクトコピーシステムを提案している。
【００１２】
請求項１０に係る発明は、第１の記録再生装置から第２の記録再生装置に直接、データファイルをコピー転送するデータファイルのダイレクトコピー方法であって、前記第１の記録再生装置において、表示されたデータファイルから前記第２の記録再生装置にコピー転送するデータファイルを選択するステップと、該データファイルのファイル情報およびコピー先のフォルダを指定するステップと、前記第２の記録再生装置に対して、前記データファイルのコピー要求と該ファイル情報およびコピー先のフォルダ情報を送信するステップと、前記第２の記録再生装置において、デフォルトフォルダを決定するステップと、前記第１の記録再生装置から該コピー要求とデータファイルのファイル情報およびコピー先フォルダの指定情報を受信するステップと、該コピー先フォルダの指定情報を受信したときに、該指定されたフォルダにコピー転送されたデータファイルのコピーを実行するステップと、前記コピー先フォルダの指定情報を受信しないときに、該決定したデフォルトフォルダにコピー転送されたデータファイルのコピーを実行するステップとを有することを特徴とするデータファイルのダイレクトコピー方法を提案している。
【００１３】
これらの発明によれば、第１の記録再生装置における表示手段および操作手段の作動により、表示手段に表示されたデータファイルの中から前記第２の記録再生装置にコピー転送するデータファイルを選択する。また、送信手段の作動により、コピー転送の実行時に、第２の記録再生装置に対して、選択したコピー転送を行うデータファイルのコピー要求とコピー転送するデータファイルのファイル情報および第２の記録再生装置におけるコピー先のフォルダを指定する場合に、コピー先フォルダを指定する情報が送信される。
一方、第２の記録再生装置においては、受信手段の作動により、第１の記録再生装置からコピー要求とデータファイルのファイル情報およびコピー先フォルダの指定情報を受信する。次に、判別手段の作動により、受信情報にコピー先フォルダの指定情報があるか否かが判別され、コピー先フォルダの指定情報を受信したと判断したときは、制御手段の作動により、指定されたフォルダにコピー転送されたデータファイルのコピーを実行する。また、コピー先フォルダの指定情報を受信していないと判断したときは、制御手段の作動により、デフォルトフォルダ決定手段が決定したデフォルトフォルダにコピー転送されたデータファイルのコピーを実行する。
【００１４】
請求項３に係る発明は、記録されたデータファイルを他の装置にコピー転送するデータファイル転送装置であって、記録されたデータファイルを表示する表示手段と、該表示されたデータファイルの中から前記他の記録再生装置にコピー転送するデータファイルを選択する操作手段と、コピー転送の実行時に、前記他の記録再生装置に対して、コピー転送するデータファイルのコピー要求と該データファイルのファイル情報およびコピー先のフォルダを指定する場合に、コピー先フォルダを指定する情報を送信する送信手段とを有することを特徴とするデータファイル転送装置を提案している。
【００１５】
請求項１１に係る発明は、記録されたデータファイルを他の装置にコピー転送するデータファイルのコピー転送方法であって、表示されたデータファイルから前記他の記録再生装置にコピー転送するデータファイルを選択するステップと、該データファイルのファイル情報およびコピー先のフォルダを指定するステップと、前記他の記録再生装置に対して、前記データファイルのコピー要求と該ファイル情報およびコピー先のフォルダ情報を送信するステップとを有することを特徴とするデータファイルのコピー転送方法を提案している。
【００１６】
これらの発明によれば、表示手段および操作手段の作動により、表示手段に表示されたデータファイルの中から他の記録再生装置にコピー転送するデータファイルが選択される。また、送信手段の作動により、コピー転送の実行時に、他の記録再生装置に対して、選択したコピー転送を行うデータファイルのコピー要求とコピー転送するデータファイルのファイル情報および他の記録再生装置におけるコピー先のフォルダを指定する場合に、コピー先フォルダを指定する情報が送信される。
【００１７】
請求項４に係る発明は、請求項３に記載されたデータファイル転送装置について、前記コピー先の他の装置に転送するデータファイルをコピーするデフォルトフォルダを指示するデフォルトフォルダ指示手段を有し、前記データファイルのコピー転送時に、コピーするフォルダを指定しない場合に、該デフォルトフォルダへのコピーを指示することを特徴とする請求項３に記載されたデータファイルを提案している。
【００１８】
請求項１２に係る発明は、請求項１１に記載されたデータファイルのコピー転送方法について、前記コピー先の他の装置に転送するデータファイルをコピーするデフォルトフォルダを指示するステップを有し、前記データファイルをコピー転送するときに、コピーするフォルダを指定しない場合に、該デフォルトフォルダにコピーを指示することを特徴とするデータファイルのコピー転送を提案している。
【００１９】
これらの発明によれば、デフォルトフォルダ指示手段の作動により、コピー先の他の装置に転送するデータファイルをコピーするデフォルトフォルダが指示される。そして、データファイルをコピー転送するときに、コピーするフォルダを指定しない場合に、デフォルトフォルダ指示手段により指示されたデフォルトフォルダにデータファイルのコピーが実行される。
【００２０】
請求項５に係る発明は、請求項３に記載されたデータファイル転送装置について、前記データファイルをコピー転送するときに、該データファイルをコピーする新たなフォルダを指定する場合には、前記コピー先の他の装置に新たなフォルダの作成を指示するフォルダ作成指示手段を有することを特徴とするデータファイル転送装置を提案している。
【００２１】
請求項１３に係る発明は、請求項１１に記載されたデータファイルのコピー転送方法について、前記データファイルをコピー転送するときに、該データファイルをコピーする新たなフォルダを指定する場合には、前記コピー先の他の装置に新たなフォルダの作成を指示するステップをさらに有することを特徴とするデータファイルのコピー転送方法を提案している。
【００２２】
これらの発明によれば、データファイルをコピー転送するときに、データファイルをコピーする新たなフォルダを指示する場合には、フォルダ作成指示手段の作動により、コピー先の他の装置に新たなフォルダの作成を指示する。
【００２３】
請求項６に係る発明は、他の装置からコピー転送されたデータファイルを受信して、コピー記録を行うデータファイル記録装置であって、前記他の装置からコピー要求とデータファイルのファイル情報およびコピー先フォルダの指定情報を受信する受信手段と、新たなフォルダを作成するフォルダ作成手段と、前記転送されたデータファイルのコピー動作を制御する制御手段とを有し、前記受信手段がコピー先フォルダの指定情報を受信したときは、前記制御手段が該指定されたフォルダにコピー転送されたデータファイルのコピーを実行し、前記コピー先フォルダの指定情報を受信しないときは、前記フォルダ作成手段が作成した新たなフォルダにコピー転送されたデータファイルのコピーを実行することを特徴とするデータファイル記録装置を提案している。
【００２４】
請求項１４に係る発明は、他の装置からコピー転送されたデータファイルを受信して、コピー記録を行うデータファイルの記録方法であって、前記他の記録再生装置からコピー要求とデータファイルのファイル情報およびコピー先フォルダの指定情報を受信するステップと、該コピー先フォルダの指定情報を受信したときに、該指定されたフォルダにコピー転送されたデータファイルのコピーを実行するステップと、前記コピー先フォルダの指定情報を受信しないときに、新たなフォルダを作成し、該作成した新たなフォルダにコピー転送されたデータファイルのコピーを実行するステップとを有することを特徴とするデータファイルの記録方法を提案している。
【００２５】
これらの発明によれば、受信手段の作動により、他の装置からコピー要求とデータファイルのファイル情報およびコピー先フォルダの指定情報を受信する。受信手段がコピー先フォルダの指定情報を受信したときは、制御手段の作動により、指定されたフォルダにコピー転送されたデータファイルのコピーを実行し、コピー先フォルダの指定情報を受信しないときは、フォルダ作成手段の作動により作成された新たなフォルダにコピー転送されたデータファイルのコピーを実行する。
【００２６】
請求項７に係る発明は、請求項６に記載されたデータファイル記録装置について、前記他の装置から転送されるデータファイルをコピーするデフォルトフォルダを指示する情報を受信するデフォルトフォルダ情報受信手段を有し、前記他の装置からデータファイルのコピー要求があったときに、該データファイルをコピーするフォルダが指定されていない場合には、前記受信したデフォルトフォルダにデータファイルのコピーを実行することを特徴とする請求項６に記載されたデータファイル記録装置を提案している。
【００２７】
請求項１５に係る発明は、請求項１４に記載されたデータファイルの記録方法について、前記他の装置から転送されるデータファイルをコピーするデフォルトフォルダを指示する情報を受信するステップを有し、前記他の装置からデータファイルのコピー要求があったときに、該データファイルをコピーするフォルダが指定されていない場合には、該指示されたデフォルトフォルダにコピーを実行することを特徴とする請求項１４に記載されたデータファイルの記録方法を提案している。
【００２８】
これらの発明によれば、他の装置からデータファイルのコピー要求があったときに、データファイルをコピーするフォルダが指定されていない場合には、デフォルトフォルダ情報受信手段の作動により、他の装置から転送されるデータファイルを受信したデフォルトフォルダにコピーする。
【００２９】
請求項８に係る発明は、請求項６に記載されたデータファイル記録装置について、前記他の装置からのフォルダ作成指示情報により、新たなフォルダを作成するフォルダ作成手段を有し、前記他の装置からデータファイルのコピー要求があったときに、該データファイルをコピーするフォルダが指定されていない場合には、該フォルダ作成手段により作成された新たなフォルダに前記データファイルのコピーを実行することを特徴とするデータファイル記録装置を提案している。
【００３０】
請求項１６に係る発明は、請求項１４に記載されたデータファイルの記録方法について、前記他の装置からのフォルダ作成指示情報により、新たなフォルダを作成するフォルダ作成手段を有し、前記他の装置からデータファイルのコピー要求があったときに、該データファイルをコピーするフォルダが指定されていない場合には、新たなフォルダを作成し、該フォルダに前記データファイルのコピーを実行するステップをさらに備えたことを特徴とするデータファイルの記録方法を提案している。
【００３１】
これらの発明によれば、他の装置からデータファイルのコピー要求があったときに、データファイルをコピーするフォルダが指定されていない場合には、フォルダ作成手段の作動により作成された新たなフォルダにデータファイルのコピーを実行する。
【発明の効果】
【００３２】
本発明によれば、データファイルの転送元である記録再生装置が、コピー先の記録再生装置にデータファイルをコピーするフォルダ指定を送付した場合と送付しない場合とでコピーを行うフォルダを振り分けることができる。したがって、例えば、コピー転送するデータファイルをデータの種別等により区分けして記録することができるため、コピー転送した記録再生装置からデータファイルを読み出す際のアクセスが容易になるという効果がある。
また、データファイルの転送元である記録再生装置が、コピー先の記録再生装置にデータファイルをコピーするフォルダ指定を送付しない場合は、データファイルの転送元である記録再生装置からの指示に応じて、適切なフォルダにデータファイルをコピーすることができるため、例えば、コピー転送するデータファイルをデータの種別等により区分けして記録することで、データファイルの管理が簡便になるという効果がある。
【発明を実施するための最良の形態】
【００３３】
以下、本発明の実施例に係るダイレクトコピーシステムについて図１から図２０を参照して詳細に説明する。
なお、後述するＬＣＤ１０７が表示手段に、選択／決定ボタン１０３が操作手段に、ＣＰＵ１０４、Ｓ１０４、Ｓ１０８、Ｓ１１０、Ｓ１１１、Ｓ１４３、Ｓ１４７、Ｓ１４９、Ｓ１５３、Ｓ１５７、Ｓ１５９、Ｓ１６０が送信手段に、ＣＰＵ２０３、Ｓ１３０、Ｓ１８４、Ｓ２０３が受信手段に、Ｓ１２３、Ｓ１７４、Ｓ１９４がフォルダ作成手段に、ＣＰＵ２０３が制御手段に、Ｓ１２５、Ｓ１７８、Ｓ１９７が判別手段に、Ｓ１２１、Ｓ１７２、Ｓ１９２がデフォルトフォルダ指示手段に対応する。
【００３４】
本実施例に係るダイレクトコピーシステムは、図１に示すように、第１の記録再生装置であるデジタルカメラ１００と第２の記録再生装置であるストレージ２００とにより構成されており、両者は、例えば、ＵＳＢ等のケーブルを用いて有線で、あるいは、bluetoothのような無線で接続されている。
【００３５】
デジタルカメラ１００は、図２に示すように、ＲＯＭ１０１と、ＲＡＭ１０２と、選択／決定ボタン１０３と、ＣＰＵ１０４と、ファイル管理部１０５と、画像記憶部１０６と、ＬＣＤ１０７と、ＬＥＤ１０８とから構成されている。
ＲＯＭ１０１は、デジタルカメラ全体を制御するためのプログラムや各種情報が記録された書き換え不能な記憶装置である。
ＲＡＭ１０２は、各種データや設定値等を一時的に記憶する書き換え可能な記憶装置である。
【００３６】
ＣＰＵ１０４は、ＲＯＭ１０１内に記憶された制御プログラムに基づいて、デジタルカメラ１００の装置全体を制御するほか、本実施例においては、例えば、ストレージ２００に画像ファイルのコピー要求や画像ファイルのファイル情報およびコピー先フォルダを指定する情報を送信する。
ファイル管理部１０５は、撮像されたデータを画像記憶部１０６に格納し、あるいは、画像記憶部１０６から画像ファイルを読み出すとともに、各画像ファイルのデータサイズ等を管理する。
【００３７】
画像記憶部１０６は、撮像されたデータを格納する記憶装置であり、メモリカード等の交換型のものでもよいし、デジタルカメラ内に固定されたものでもよい。
ＬＣＤ１０７は、コピー転送する画像ファイルを選択するために、サムネイルを表示する。
【００３８】
一方、ストレージ２００は、図２に示すように、ＲＯＭ２０１と、ＲＡＭ２０２と、ＣＰＵ２０３と、ファイル管理部２０４と、画像記憶部２０５とから構成されている。
これらの各構成要素の機能は、デジタルカメラ１００の構成要素の機能と略同様である。
【００３９】
デジタルカメラ１００の背面は、図３に示すようになっており、中央に決定ボタンを備え、その周囲に選択ボタンを配置した選択決定ボタン１０３と、１２画面分のサムネイル表示部とストレージの総容量、空き容量およびコピー容量を数値等で表示する表示部を備えるＬＣＤ１０７と、ＬＥＤ１０８と、デジタルカメラの電源のＯＮ／ＯＦＦを行うＰｏｗｅｒスイッチ１０９と、被写体を撮像するシャッター１１０と、撮影モードと再生モードとを切り替えるモード選択ダイヤル１１１と、コピーボタン１１２と、設定ボタン１１３とを配置した構成となっている。
【００４０】
デジタルカメラ１００は画像記億部１０６からファイル管理部１０５を通して画像ファイルを読み込み、その画像をＬＣＤ１０７に表示する。デジタルカメラ１００のＣＰＵ１０４は、選択決定ボタン１０３で選択された画像情報をコピー指示としてストレージ２００のＣＰＵ２０３に送付する。なお、この時、コピー先であるストレージ２００の画像記億部２０５に転送コピーする画像情報を記憶するフォルダを指定しても良い。
【００４１】
ストレージ２００のＣＰＵ２０３は、デジタルカメラ１００のＣＰＵ１０４からの指示に従って、画像記億部２０５内のフォルダを検索してＣＰＵ１０４に送付する。
また、ストレージ２００のＣＰＵ２０３は、デジタルカメラ１００のＣＰＵ１０４からのコピー指示に従って、ＣＰＵ１０４に対してファイルの要求を行い、これを受信して、ファイル管理部２０４を介して、画像記億部２０５に保存する。
【００４２】
なお、本実施例に係るダイレクトコピーシステムにおいては、デジタルカメラ１００とストレージ２００とが、互いに相手側のファイルシステムが見えないような構成となっている。したがって、インターフェースを介して、ファイル／フォルダ情報やファイルのやりとりを行うが、各々の画像記億部からのファイルの読み出しや書き込みは、各々のファイル管理部が制御を行い、相手側の画像記億部は、これに対して一切アクセスすることはできない。
【実施例１】
【００４３】
以下、図４から図１３を用いて第１の実施例について説明する。
本実施例は、図４に示すように、デジタルカメラ１００の画像記憶部１０６に記憶されている１２個の画像データファイルから所望の画像データファイルを選択し、図５に示すように、ストレージ２００内の画像記憶部２０５にこれをコピーする場合に関するものである。
なお、図５において、下線を付したフォルダはストレージ２００側で自動的に作成したフォルダを、網掛けのあるファイルは、デジタルカメラ１００からストレージ２００にコピーしたファイルを示している。
【００４４】
まず、図１２を用いて、本実施例におけるデジタルカメラ１００のＣＰＵ１０４の処理について説明する。
デジタルカメラ１００は、画像データファイルの転送モードになると、ＣＰＵ１０４が画像記億部１０６から画像データを読み込み、これをＬＣＤ１０７に表示する（ステップ１００）。次に、ユーザは、ＬＣＤ１０７に表示された画像を参照しながら、ストレージ２００にコピー転送する画像データファイルを選択する（ステップ１０１）。画像データファイルの選択は、選択決定ボタン１０３の左右ボタンでカーソルを移動し、ＯＫボタンで選択する画像データファイルを決定することにより行う。なお、画像データファイルの選択状態で再度ＯＫボタンを押すと選択状態を解除することができる。
【００４５】
デジタルカメラ１００のＣＰＵ１０４は、ユーザからのコピー指示があるまで、画像データファイルの選択を許可する。コピー指示は、選択決定ボタン１０３の上下ボタンでカーソルを画像位置から順に「コピー」、「設定」の位置に移動させ、左右ボタンで「コピー」、「設定」間を移動して、ＯＫボタンを押すことによって実行される（ステップ１０２）。
【００４６】
デジタルカメラ１００のＣＰＵ１０４は、コピー指示があると（ステップ１０２）、図７に示すようなフォルダ選択の有無に関する情報をＬＣＤ１０７上に表示する（ステップ１０３）。なお、ＬＣＤ１０７上に表示されるフォルダ選択の有無に関する情報は、一度目には「前回と同じ」というメッセージは表示されず、「指定しない」を選択した状態が表示され、二度目以降は「前回と同じ」を選択した状態で表示する。「前回と同じ」、「指定しない」、「指定する」の選択は、選択決定ボタン１０３の上下ボタンによりカーソルを上下に移動させ、所望の位置にカーソルを移動した後、ＯＫボタンを押すことで決定する。
【００４７】
ここで、「指定しない」を選択した場合には、図６（Ｃ）に示すように、フォルダを指定しないで、コピーするファイルのみ指定してストレージ２００に対して、コピー指示を行う。また、「指定する」を選択した場合には、デジタルカメラ１００のＣＰＵ１０４がストレージ２００のＣＰＵ２０３にコピー可能なフォルダを問い合わせる（ステップ１０４）。これに対して、ストレージ２００のＣＰＵ２０３は、コピー可能なフォルダ情報をデジタルカメラ１００のＣＰＵ１０４に送信し、ＣＰＵ１０４は、受信した情報を図８に示すように、ＬＣＤ１０７に表示する（ステップ１０５）。
【００４８】
ユーザは、選択決定ボタン１０３の上下ボタンによりカーソルを移動して、所望のフォルダを選択する（ステップ１０６）。ここで、フォルダ作成を選択したとき（ステップ１０７）は、ストレージ２００のＣＰＵ２０３にフォルダの作成を指示する（ステップ１０８）。フォルダの作成を指示すると、ステップ１０４とステップ１０５の処理が再度実行され、作成したフォルダが図８に追加される。また、図８で既存のフォルダまたは作成したフォルダを選択した状態でＯＫボタンを押すことにより、（ステップ１０９）選択状態を確定する。
【００４９】
なお、「フォルダ作成」でＯＫボタンを押すと、ストレージ２００のＣＰＵ２０３は、新規フォルダを作成する。図９にフォルダ名の入力画面を示す。具体的には、選択決定ボタン１０３の左右ボタンを用いて、カーソルを「アルファベット大文字」、「アルファベット小文字」、「数字」、「ＯＫ」と移動し、上下ボタンでアルファベットや数字を選択する。そして、１文字づつＯＫボタンを押すことにより、その内容を決定する。最後に、カーソルを「ＯＫ」に移動した状態でＯＫボタンを押すと、すべての文字等の入力が完了する。そして、ステップ１０８において、図１０に示すようなフォルダ作成指示をストレージ２００のＣＰＵ２０３に行い、ステップ１０４およびステップ１０５において表示の更新を行う。
【００５０】
フォルダ選択状態でＯＫボタンを押すと、図６（ａ）、（ｂ）に示すフォルダとファイルを指定した状態で、コピー指示がデジタルカメラ１００のＣＰＵ１０４からストレージ２００のＣＰＵ２０３に対して送信される。一方、ステップ１０３でフォルダの選択を行わない場合には、フォルダを指定せずに、コピー指示がデジタルカメラ１００のＣＰＵ１０４からストレージ２００のＣＰＵ２０３に対して送信される。そして、コピー指示が送信されると、デジタルカメラ１００のＣＰＵ１０４は、コピーの終了を確認して（ステップ１１２）、コピー動作を終了する。
【００５１】
次に、図１３を用いてストレージ２００のＣＰＵ２０３の動作について説明する。
まず、ストレージ２００のＣＰＵ２０３は、デジタルカメラ１００のＣＰＵ１０４からの送信情報を受信すると、受信した情報の中にフォルダ確認指示があるか否かを確認し（ステップ１２０）、指示が有る場合は、図１１に示ように、選択可能なフォルダをデジタルカメラ１００のＣＰＵ１０４に送信する（ステップ１２１）。選択可能なフォルダを送信後、あるいは、受信した情報の中にフォルダ確認指示がない場合には、次に、フォルダ作成指示の有無を確認し（ステップ１２２）、指示が有る場合は、ファイル管理部２０４を介して画像記億部２０５にフォルダを追加する（ステップ１２３）。
【００５２】
フォルダの追加後、あるいは、フォルダ作成指示がない場合には、コピー指示の有無を確認し（ステップ１２４）、指示が有る場合は、フォルダ指定の有無を確認する（ステップ１２５）。一方で、コピー実行の指示がない場合には、ステップ１２０の処理に戻る。次に、フォルダ指定がある場合は、コピー先フォルダを指定フォルダとして（ステップ１２６）、指定されたファイルを１つコピーする（ステップ１３０）。こうして、指定されたファイルを全てコピーするまでコピー動作を繰り返す（ステップ１３１）。
【００５３】
ステップ１２５で、フォルダ指定が無い場合は、コピー先のフォルダをストレージ２００のＣＰＵ２０３で作成済み否かを確認し（ステップ１２７）、未作成の場合は、図５において下線を付して示すようなフォルダを作成する（ステップ１２８）。ストレージ２００のＣＰＵ２０３がフォルダを作成した後は、コピー先フォルダを作成されたフォルダとして（ステップ１２９）、指定されたファイルを１つコピーする（ステップ１３０）。こうして、指定されたファイルを全てコピーするまでコピー動作を繰り返す（ステップ１３１）。
【００５４】
なお、この時のフォルダ名は任意でも構わないし、コピー指示の日付でも構わない。また、日付はストレージ２００のＣＰＵ２０３が日付機能を有して作成しても良いし、デジタルカメラ１００のＣＰＵ１０４が日付機能を有していて図６に示すようなコピー指示に日付を追加しても良い。
【００５５】
このように、本実施例においては、コピー先フォルダを指定すると指定フォルダにコピーを行い、指定が無い場合はストレージ２００のＣＰＵ２０３がフォルダを自動作成してコピーを行うので、既存のファイルと関連のあるファイルは既存のあるフォルダに、無い場合は特定のフォルダにコピー分けすることができる。なお、仮に、コピー先に同じファイル名のファイルが存在している場合は、例えばファイル名の下４桁の数字が同じにならないように自動的にリネームしても良いし、フォルダの作成やフォルダの指定は、画像選択前などの別のタイミングで行っても良い。
【実施例２】
【００５６】
次に、図１４から図１９を用いて、本発明の第２の実施例について説明する。
本実施例は、図１４に示すデジタルカメラ１００の画像記憶部１０６内に記憶された４個の画像データファイルの中から所望の画像データファイルを選択し、図５に示すように、これらの画像データファイルをストレージ２００内の画像記憶部２０５にコピーをする場合に関するものである。なお、図５において、囲みのついたファイルがコピーしたファイルを示している。
【００５７】
まず、図１８を用いてデジタルカメラ１００のＣＰＵ１０４の処理動作を説明すると、デジタルカメラ１００は、画像データファイルの転送モードになると、ＣＰＵ１０４が画像記億部１０６から画像データを読み込み、これをＬＣＤ１０７に表示する（ステップ１４０）。次に、ユーザは、ＬＣＤ１０７に表示された画像を参照しながら、ストレージ２００にコピー転送する画像データファイルを選択する（ステップ１４１）。
【００５８】
設定ボタン１０３を押して、フォルダ指定無し時の保存先デフォルトフォルダ設定を選択すると、デジタルカメラ１００のＣＰＵ１０４がストレージ２００のＣＰＵ２０３にコピー可能なフォルダを問い合わせる（ステップ１４３）。これに対して、ストレージ２００のＣＰＵ２０３は、コピー可能なフォルダ情報をデジタルカメラ１００のＣＰＵ１０４に送信し、ＣＰＵ１０４は、受信した情報を図８に示すように、ＬＣＤ１０７に表示する（ステップ１４４）。
【００５９】
ユーザは、選択決定ボタン１０３の上下ボタンにより、カーソルを移動して、所望のフォルダを選択する（ステップ１４５）。ここで、フォルダ作成を選択したとき（ステップ１４６）は、ストレージ２００のＣＰＵ２０３にフォルダの作成を指示する（ステップ１４７）。フォルダの作成を指示すると、ステップ１０４とステップ１０５の処理が再度実行され、作成したフォルダが図８に追加される。また、図８で既存のフォルダまたは作成したフォルダを選択した状態でＯＫボタンを押すことにより、（ステップ１４８）選択状態を確定する。一方、ＯＫボタンが押されないときは、ステップ１４３に戻って、処理を続行する。
【００６０】
デフォルトフォルダ設定が終了すると、デジタルカメラ１００のＣＰＵ１０４は、ストレージ２００のＣＰＵ２０３にデフォルトフォルダの設定を指示し（ステップ１４９）、その画像データをＬＣＤ１０７に再表示する（ステップ１５０）。そして、コピー実行指示を行うまでステップ１４１からステップ１５０の処理を繰り返す。なお、以降ステップ１５２からステップ１６１までの処理は、第１の実施例におけるステップ１０３からステップ１１２までの処理と同様であるため、説明を省略する。
【００６１】
本実施例においては、デフォルトフォルダを図１６に示すようにＥＴＣに設定し、図１７に示すようにフォルダ指定無しでコピーを実行すると、図５の囲みファイルのようにコピーを実行する。なお、フォルダ指定がある場合は第１の実施例と同様の処理になる。
【００６２】
図１５はフォルダ選択時の画面を示し、フォルダ名と共にフォルダ内の画像を表示するようにした例である。このように、表示する画像はフォルダ内の任意の画像でも良く、フォルダ内の画像を所定時間間隔で順次表示するようにしても良い。またユーザが事前に表示する画像を選択している場合であっても、過去の表示時間が一番長かったものや、最初又は最後に表示あるいはプリントされた画像を表示しても良い。このように画像を表示することにより、関係のあるフォルダを単にフォルダ名のみを表示する場合に比べて、指定しやすくすることができる。
【００６３】
次に、図１９を用いて、ストレージ２００のＣＰＵ２０３の動作について説明すると、まず、ストレージ２００のＣＰＵ２０３は、デフォルトフォルダの設定をクリアする（ステップ１７０）。デジタルカメラ１００のＣＰＵ１０４からの送信情報を受信すると、受信した情報の中にフォルダ確認指示があるか否かを確認し（ステップ１７１）、指示が有る場合は、図１１に示ように、選択可能なフォルダをデジタルカメラ１００のＣＰＵ１０４に送信する（ステップ１７２）。選択可能なフォルダを送信後、あるいは、受信した情報の中にフォルダ確認指示がない場合には、次に、フォルダ作成指示の有無を確認し（ステップ１７３）、指示が有る場合は、ファイル管理部２０４を介して画像記億部２０５にフォルダを追加する（ステップ１７４）。
【００６４】
また、デフォルトフォルダの設定指示がある場合には（ステップ１７５）、デフォルトフォルダを設定し（ステップ１７６）、またデフォルトフォルダの設定指示がない場合には、コピー実行指示があるまでステップ１７１からステップ１７７の処理を続行する。
【００６５】
次に、コピー実行の指示があったときは、フォルダの指定があるか否かを確認し、フォルダ指定がない場合は、デフォルトフォルダが設定されているかをチェックする（ステップ１８０）。ここで、デフォルトフォルダが設定されていない場合は、自動作成フォルダを作成し（ステップ１８１）、デフォルトフォルダを設定する（ステップ１８２）。
【００６６】
ストレージ２００のＣＰＵ２０３は、設定したデフォルトフォルダをコピー先フォルダとして設定し（ステップ１８３）、画像データファイルを１つ受信して、コピー先フォルダにコピーを実行する（ステップ１８４）。そして、こうした動作を最後の画像データファイルまで続行する（ステップ１８５）。一方、フォルダの指定がある場合は、指定フォルダをコピー先フォルダとして（ステップ１７９）、ステップ１８４およびステップ１８５を実行する。
【００６７】
このように、本実施例によれば、コピー先フォルダを指定すると指定フォルダにコピーを行い、指定が無い場合は事前に設定したデフォルトフォルダにコピーを行うので、既存のファイルと関連のあるファイル等でフォルダ指定がある場合は既存のあるフォルダに、既存のフォルダと関連が無いようなフォルダ指定の無い場合は特定のフォルダにコピー分けすることができる。なお、フォルダの作成やデフォルトフォルダの指定は、画像選択前などの別のタイミングで行っても良い。
【００６８】
また、ステップ１７４でフォルダを作成した時はステップ１７６を実行して作成したフォルダをデフォルトフォルダとしても良く、或いはデジタルカメラ１００のＣＰＵ１０４はステップ１５７でフォルダを作成した後で、ステップ１４９のデフォルトフォルダの設定を行っても良い。これにより、フォルダを作成すると自動的にデフォルトフォルダが設定されるので、ユーザが別途デフォルトフォルダを設定する手間を省くことができる。
【実施例３】
【００６９】
次に、図２０を用いて、第３の実施例について説明する。
なお、デジタルカメラ１００のＣＰＵ１０４の処理については、実施例１と同様であるため省略する。また、ストレージ２００のＣＰＵ２０３の処理についても、実施例１の図１３と異なる部分のみについて説明する。
【００７０】
まず、ストレージ２００のＣＰＵ２０３は、デフォルトフォルダの設定をクリアする（ステップ１９０）。そして、フォルダの確認を行った後、フォルダを作成すると（ステップ１９４）、作成したフォルダをデフォルトフォルダとして設定する（ステップ１９５）。ストレージ２００のＣＰＵ２０３は、コピー実行の指示を受けると、フォルダ指定の有無を確認し、指定がないときは、デフォルトフォルダが設定されているかを確認する（ステップ１９９）。
【００７１】
デフォルトフォルダが設定されていない場合、自動作成フォルダを作成し（ステップ２００）、作成したフォルダをデフォルトフォルダとして設定し（ステップ２０１）、コピー先フォルダをデフォルトフォルダに設定する（ステップ２０２）。このように、本実施例によれば、コピー先フォルダを指定すると指定フォルダにコピーを行い、指定が無い場合は事前に作成したデフォルトフォルダにコピーを行うので、既存のファイルと関連のあるファイル等でフォルダ指定かある場合は既存のあるフォルダに、既存のフォルダと関連が無いようなフォルダ指定の無い場合は特定のフォルダにコピー分けすることができる。
【００７２】
以上、図面を参照して本発明の実施形態について詳述してきたが、具体的な構成はこれらの実施の形態に限られるものではなく、この発明の要旨を逸脱しない範囲の設計変更等も含まれる。例えば、本実施例においては、第２の記録再生装置としてストレージを例にとって説明したが、ストレージとしては、ＭＯ、ＣＤ−Ｒ、ＣＤ−ＲＷ、ＤＶＤ−Ｒ、ＤＶＤ−ＲＷ、ＤＶＤ−ＲＡＭ、ＦＤＤ、ＨＤＤ等であればよく、記憶装置を備えた携帯電話やパーソナルコンピュータ、デジタルカメラ等の機器でもよい。また、本実施例においては、第１の記録再生装置としてデジタルカメラを例にとって説明したが、これに限らず、ストレージや記録装置を備えた機器でもよい。
【図面の簡単な説明】
【００７３】
【図１】本システムの概要を示す概略図である。
【図２】デジタルカメラおよびストレージの構成図である。
【図３】デジタルカメラの背面図である。
【図４】デジタルカメラ側のフォルダ内のデータファイルを例示した図である。
【図５】ストレージ側に新規にデータファイル用フォルダが発生した場合のファイル構成を示した図である。
【図６】画像データファイルの転送に際して、フォルダを指定する場合およびフォルダを指定しない場合を例示した図である。
【図７】フォルダの指定を行う場合の表示例を示した図である。
【図８】フォルダの選択を行う場合の表示例を示した図である。
【図９】フォルダ名の指定を行う場合の表示例を示した図である。
【図１０】ストレージ側に送信するフォルダ作成指示情報を例示した図である。
【図１１】デジタルカメラ側に送信する選択可能なフォルダ情報を例示した図である。
【図１２】第１の実施例におけるデジタルカメラの処理フロー図である。
【図１３】第１の実施例におけるストレージの処理フロー図である。
【図１４】デジタルカメラ側から選択された画像データファイルを例示した図である。
【図１５】フォルダ選択時の画面表示を例示した図である。
【図１６】デフォルトフォルダを選択した場合に、ストレージ側に送信される情報を例示した図である。
【図１７】デフォルトフォルダを指定しないでコピーを実行する場合に、ストレージ側に送信される情報を例示した図である。
【図１８】第２の実施例におけるデジタルカメラの処理フロー図である。
【図１９】第２の実施例におけるストレージの処理フロー図である。
【図２０】第２の実施例におけるストレージの処理フロー図である。
【符号の説明】
【００７４】
１００・・・デジタルカメラ、２００・・・ストレージ、１０１、２０１・・・ＲＯＭ、１０２、２０２・・・ＲＡＭ、１０３・・・選択／決定ボタン、１０４、２０３・・・ＣＰＵ、１０５、２０４・・・ファイル管理部、１０６、２０５・・・画像記憶部、１０７・・・ＬＣＤ、１０９・・・Ｐｏｗｅｒスイッチ、１１０・・・シャッター、１１１・・・モード選択ダイヤル、１１２・・・コピーボタン、１１３・・・設定ボタン
【図１】
2005166220.tif 000003
【図２】
2005166220.tif 000004
【図３】
2005166220.tif 000005
【図４】
2005166220.tif 000006
【図５】
2005166220.tif 000007
【図６】
2005166220.tif 000008
【図７】
2005166220.tif 000009
【図８】
2005166220.tif 000010
【図９】
2005166220.tif 000011
【図１０】
2005166220.tif 000012
【図１１】
2005166220.tif 000013
【図１２】
2005166220.tif 000014
【図１３】
2005166220.tif 000015
【図１４】
2005166220.tif 000016
【図１５】
2005166220.tif 000017
【図１６】
2005166220.tif 000018
【図１７】
2005166220.tif 000019
【図１８】
2005166220.tif 000020
【図１９】
2005166220.tif 000021
【図２０】
2005166220.tif 000022